(57)【要約】【課題】ガイドシューが移動可能に案内されるドアガイド装置内に異物が入り込んでドアの開閉動作が妨げられるという事態の発生を防止し、しかも、ドアガイド装置内に異物が入り込んでドアの開閉動作が妨げられるという事態の発生を安価な構成で防止する。【解決手段】エレベータのドア装置において、エレベータ乗かご１又はエレベータ乗場に設けられ、戸閉位置と戸開位置との間を水平方向に移動可能なドア３と、戸開位置に移動したドア３が収納される戸袋４と、ドア３にこのドア３の戸袋４側端面より外側に位置させて設けられたドアガイドシュー５と、戸袋４におけるドア３に対向する側の側面に設けられ、ドアガイドシュー５を移動可能にガイドするドアガイド装置７と、を備える。【選択図】    図１
2011190087.tif 000002
【特許請求の範囲】
【請求項１】
エレベータ乗かご又はエレベータ乗場に設けられ、戸閉位置と戸開位置との間を水平方向に移動可能なドアと、
戸開位置に移動した前記ドアが収納される戸袋と、
前記ドアにこのドアの前記戸袋側端面より外側に位置させて設けられたドアガイドシューと、
前記戸袋における前記ドアに対向する側の側面に設けられ、前記ドアガイドシューを移動可能にガイドするドアガイド装置と、
を備えることを特徴とするエレベータのドア装置。
【請求項２】
エレベータ乗かご又はエレベータ乗場に設けられ、戸閉位置と戸開位置との間を水平方向及び同一方向に移動可能な手前側ドア及び奥側ドアと、
戸開位置に移動した前記手前側ドアと前記奥側ドアとが前後に重ね合わせて収納される戸袋と、
前記手前側ドアにこの手前側ドアの前記戸袋側端面より外側に位置させて設けられた手前側ドアガイドシューと、
前記戸袋における前記手前側ドアに対向する側の側面に設けられ、前記手前側ドアガイドシューを移動可能にガイドするドアガイド装置と、
前記奥側ドアにこの奥側ドアの前記戸袋側端面より外側に位置させて設けられた奥側ドアガイドシューと、
前記手前側ドアにおける前記奥側ドアに対向する側の側面に設けられ、前記奥側ドアガイドシューを移動可能にガイドする奥側ドアガイド装置と、
を備えることを特徴とするエレベータのドア装置。
【請求項３】
エレベータ乗かご又はエレベータ乗場に設けられ、戸閉位置と戸開位置との間を水平方向及び同一方向に移動可能な手前側ドア、中間ドア及び奥側ドアと、
戸開位置に移動した前記手前側ドアと前記中間ドアと前記奥側ドアとが前後に重ね合わせて収納される戸袋と、
前記手前側ドアにこの手前側ドアの前記戸袋側端面より外側に位置させて設けられた手前側ドアガイドシューと、
前記戸袋における前記手前側ドアに対向する側の側面に設けられ、前記手前側ドアガイドシューを移動可能にガイドするドアガイド装置と、
前記中間ドアにこの中間ドアの前記戸袋側端面より外側に位置させて設けられた中間ドアガイドシューと、
前記手前側ドアにおける前記中間ドアに対向する側の側面に設けられ、前記中間ドアガイドシューを移動可能にガイドする中間ドアガイド装置と、
前記奥側ドアにこの奥側ドアの前記戸袋側端面より外側に位置させて設けられた奥側ドアガイドシューと、
前記中間ドアにおける前記奥側ドアに対向する側の側面に設けられ、前記奥側ドアガイドシューを移動可能にガイドする奥側ドアガイド装置と、
を備えることを特徴とするエレベータのドア装置。
【請求項４】
エレベータ乗かご又はエレベータ乗場に設けられ、戸閉位置と戸開位置との間を水平方向に移動可能なドアと、
戸開位置に移動した前記ドアが収納される戸袋と、
前記ドアにこのドアの前記戸袋側端面より外側に位置させて設けられたドアガイドシューと、
前記戸袋内の床面に設けられ、前記ドアガイドシューを移動可能にガイドするドアガイド装置と、
を備えることを特徴とするエレベータのドア装置。
【請求項５】
エレベータ乗かご又はエレベータ乗場に設けられ、戸閉位置と戸開位置との間を水平方向及び同一方向に移動可能な手前側ドア及び奥側ドアと、
戸開位置に移動した前記手前側ドアと前記奥側ドアとが前後に重ね合わせて収納される戸袋と、
前記手前側ドアにこの手前側ドアの前記戸袋側端面より外側に位置させて設けられた手前側ドアガイドシューと、
前記戸袋内の床面に設けられ、前記手前側ドアガイドシューを移動可能にガイドするドアガイド装置と、
前記奥側ドアにこの奥側ドアの前記戸袋側端面より外側に位置させて設けられた奥側ドアガイドシューと、
前記手前側ドアにおける前記奥側ドアに対向する側の側面に設けられ、前記奥側ドアガイドシューを移動可能にガイドする奥側ドアガイド装置と、
を備えることを特徴とするエレベータのドア装置。
【請求項６】
エレベータ乗かご又はエレベータ乗場に設けられ、戸閉位置と戸開位置との間を水平方向及び同一方向に移動可能な手前側ドア、中間ドア及び奥側ドアと、
戸開位置に移動した前記手前側ドアと前記中間ドアと前記奥側ドアとが前後に重ね合わせて収納される戸袋と、
前記手前側ドアにこの手前側ドアの前記戸袋側端面より外側に位置させて設けられた手前側ドアガイドシューと、
前記戸袋内の床面に設けられ、前記手前側ドアガイドシューを移動可能にガイドするドアガイド装置と、
前記中間ドアにこの中間ドアの前記戸袋側端面より外側に位置させて設けられた中間ドアガイドシューと、
前記手前側ドアにおけるの前記中間ドアに対向する側の側面に設けられ、前記中間ドアガイドシューを移動可能にガイドする中間ドアガイド装置と、
前記奥側ドアにこの奥側ドアの前記戸袋側端面より外側に位置させて設けられた奥側ドアガイドシューと、
前記中間ドアにおける前記奥側ドアに対向する側の側面に設けられ、前記奥側ドアガイドシューを移動可能にガイドする奥側ドアガイド装置と、
を備えることを特徴とするエレベータのドア装置。
【請求項７】
前記ドアガイドシューに代えて前記ドアガイド装置が設けられ、
前記ドアガイド装置に代えて前記ドアガイドシューが設けられていることを特徴とする請求項１ないし６のいずれか一項に記載のエレベータのドア装置。
【発明の詳細な説明】
【技術分野】
【０００１】
本発明は、エレベータ乗かごに設けられているかごドアやエレベータ乗場に設けられている乗場ドア等のエレベータのドア装置に関する。
【背景技術】
【０００２】
エレベータ乗かごのかごドアやエレベータ乗場の乗場ドアは戸開位置と戸閉位置との間を水平方向に移動可能に設けられており、ドア上部が案内レールにより移動可能に吊り下げられ、ドア下部には下方へ突出したガイドシューが設けられている。かごドアやエレベータ乗場の出入口の床面には、ドアの移動方向に沿って延出したガイド溝が形成され、ガイドシューはガイド溝に嵌合されるとともにガイド溝内を摺動する。
【０００３】
このようなエレベータのドア装置において、ガイド溝内に小石等の異物が入り込む場合がある。ガイド溝内に異物が入り込むと、ドアの円滑な開閉動作が妨げられ、甚だしい場合には開閉動作が不能となる。
【０００４】
ガイド溝内への異物の入り込みを防止するようにしたエレベータのドア装置としては、例えば、下記特許文献１に記載されたものが知られている。
【０００５】
特許文献１に記載されたエレベータのドア装置は、ゴムベルト等からなる閉塞帯と滑車とがドアに取付けられ、ドアの開放時にはガイド溝を閉塞帯によって閉塞し、ガイド溝内に異物が入り込まないようにしている。
【先行技術文献】
【特許文献】
【０００６】
【特許文献１】特開平６−５６３７７号公報
【発明の概要】
【発明が解決しようとする課題】
【０００７】
しかしながら、特許文献１に記載されたエレベータのドア装置では、各階床の乗場ドアごとに閉塞帯と滑車とを設ける必要があり、コスト高となる。
【０００８】
さらに、閉塞帯は磨耗しやすく、磨耗した閉塞帯を定期的に交換する必要があり、この点からもコスト高となる。
【０００９】
本発明はこのような課題を解決するためになされたもので、その目的は、ガイドシューが嵌合されるガイド溝内に異物が入り込んでドアの開閉動作が妨げられるということを防止することができ、しかも、ガイド溝内に異物が入り込んでドアの開閉動作が妨げられるということを安価な構成で防止することである。
【課題を解決するための手段】
【００１０】
本発明の実施の形態に係る第１の特徴は、エレベータのドア装置において、エレベータ乗かご又はエレベータ乗場に設けられ、戸閉位置と戸開位置との間を水平方向に移動可能なドアと、戸開位置に移動した前記ドアが収納される戸袋と、前記ドアにこのドアの前記戸袋側端面より外側に位置させて設けられたドアガイドシューと、前記戸袋における前記ドアに対向する側の側面に設けられ、前記ドアガイドシューを移動可能にガイドするドアガイド装置と、を備える。
【００１１】
本発明の実施の形態に係る第２の特徴は、エレベータのドア装置において、エレベータ乗かご又はエレベータ乗場に設けられ、戸閉位置と戸開位置との間を水平方向及び同一方向に移動可能な手前側ドア及び奥側ドアと、戸開位置に移動した前記手前側ドアと前記奥側ドアとが前後に重ね合わせて収納される戸袋と、前記手前側ドアにこの手前側ドアの前記戸袋側端面より外側に位置させて設けられた手前側ドアガイドシューと、前記戸袋における前記手前側ドアに対向する側の側面に設けられ、前記手前側ドアガイドシューを移動可能にガイドするドアガイド装置と、前記奥側ドアにこの奥側ドアの前記戸袋側端面より外側に位置させて設けられた奥側ドアガイドシューと、前記手前側ドアにおける前記奥側ドアに対向する側の側面に設けられ、前記奥側ドアガイドシューを移動可能にガイドする奥側ドアガイド装置と、を備える。
【００１２】
本発明の実施の形態に係る第３の特徴は、エレベータのドア装置において、エレベータ乗かご又はエレベータ乗場に設けられ、戸閉位置と戸開位置との間を水平方向及び同一方向に移動可能な手前側ドア、中間ドア及び奥側ドアと、戸開位置に移動した前記手前側ドアと前記中間ドアと前記奥側ドアとが前後に重ね合わせて収納される戸袋と、前記手前側ドアにこの手前側ドアの前記戸袋側端面より外側に位置させて設けられた手前側ドアガイドシューと、前記戸袋における前記手前側ドアに対向する側の側面に設けられ、前記手前側ドアガイドシューを移動可能にガイドするドアガイド装置と、前記中間ドアにこの中間ドアの前記戸袋側端面より外側に位置させて設けられた中間ドアガイドシューと、前記手前側ドアにおける前記中間ドアに対向する側の側面に設けられ、前記中間ドアガイドシューを移動可能にガイドする中間ドアガイド装置と、前記奥側ドアにこの奥側ドアの前記戸袋側端面より外側に位置させて設けられた奥側ドアガイドシューと、前記中間ドアにおける前記奥側ドアに対向する側の側面に設けられ、前記奥側ドアガイドシューを移動可能にガイドする奥側ドアガイド装置と、を備える。
【００１３】
本発明の実施の形態に係る第４の特徴は、エレベータのドア装置において、エレベータ乗かご又はエレベータ乗場に設けられ、戸閉位置と戸開位置との間を水平方向に移動可能なドアと、戸開位置に移動した前記ドアが収納される戸袋と、前記ドアにこのドアの前記戸袋側端面より外側に位置させて設けられたドアガイドシューと、前記戸袋内の床面に設けられ、前記ドアガイドシューを移動可能にガイドするドアガイド装置と、を備える。
【００１４】
本発明の実施の形態に係る第５の特徴は、エレベータのドア装置において、エレベータ乗かご又はエレベータ乗場に設けられ、戸閉位置と戸開位置との間を水平方向及び同一方向に移動可能な手前側ドア及び奥側ドアと、戸開位置に移動した前記手前側ドアと前記奥側ドアとが前後に重ね合わせて収納される戸袋と、前記手前側ドアにこの手前側ドアの前記戸袋側端面より外側に位置させて設けられた手前側ドアガイドシューと、前記戸袋内の床面に設けられ、前記手前側ドアガイドシューを移動可能にガイドするドアガイド装置と、前記奥側ドアにこの奥側ドアの前記戸袋側端面より外側に位置させて設けられた奥側ドアガイドシューと、前記手前側ドアにおける前記奥側ドアに対向する側の側面に設けられ、前記奥側ドアガイドシューを移動可能にガイドする奥側ドアガイド装置と、を備える。
【００１５】
本発明の実施の形態に係る第６の特徴は、エレベータのドア装置において、エレベータ乗かご又はエレベータ乗場に設けられ、戸閉位置と戸開位置との間を水平方向及び同一方向に移動可能な手前側ドア、中間ドア及び奥側ドアと、戸開位置に移動した前記手前側ドアと前記中間ドアと前記奥側ドアとが前後に重ね合わせて収納される戸袋と、前記手前側ドアにこの手前側ドアの前記戸袋側端面より外側に位置させて設けられた手前側ドアガイドシューと、前記戸袋内の床面に設けられ、前記手前側ドアガイドシューを移動可能にガイドするドアガイド装置と、前記中間ドアにこの中間ドアの前記戸袋側端面より外側に位置させて設けられた中間ドアガイドシューと、前記手前側ドアにおけるの前記中間ドアに対向する側の側面に設けられ、前記中間ドアガイドシューを移動可能にガイドする中間ドアガイド装置と、前記奥側ドアにこの奥側ドアの前記戸袋側端面より外側に位置させて設けられた奥側ドアガイドシューと、前記中間ドアにおける前記奥側ドアに対向する側の側面に設けられ、前記奥側ドアガイドシューを移動可能にガイドする奥側ドアガイド装置と、を備える。
【発明の効果】
【００１６】
本発明によれば、ドアガイド装置内に異物が入り込むことを防止することができ、ドアガイド装置内に異物が入り込んだためにドアの開閉動作が妨げられるという事態の発生を防止することができる。
【図面の簡単な説明】
【００１７】
【図１】本発明の第１の実施の形態におけるドアが戸閉位置に位置する場合の平面図である。
【図２】その正面図である。
【図３】ドアが戸開位置に位置する場合の平面図である。
【図４】その正面図である。
【図５】図２におけるＡ−Ａ線断面図である。
【図６】本発明の第２の実施の形態における手前側ドアと奥側ドアとが戸閉位置に位置する場合の平面図である。
【図７】その正面図である。
【図８】手前側ドアと奥側ドアとが戸開位置に位置する場合の平面図である。
【図９】その正面図である。
【図１０】図７におけるＢ−Ｂ線断面図である。
【図１１】図７におけるＣ−Ｃ線断面図である。
【図１２】本発明の第３の実施の形態における手前側ドアと奥側ドアとが戸閉位置に位置する場合の平面図である。
【図１３】その正面図である。
【図１４】手前側ドアと奥側ドアとが戸開位置に位置する場合の平面図である。
【図１５】本発明の第４の実施の形態における手前側ドアと中間ドアと奥側ドアとが戸閉位置に位置する場合の平面図である。
【図１６】その正面図である。
【図１７】手前側ドアと中間ドアと奥側ドアとが戸開位置に位置する場合の平面図である。
【図１８】図１６におけるＤ−Ｄ線断面図である。
【図１９】本発明の第５の実施の形態におけるドアが戸閉位置に位置する場合の平面図である。
【図２０】その正面図である。
【図２１】図２０におけるＥ−Ｅ線断面図である。
【図２２】本発明の第６の実施の形態における手前側ドアと奥側ドアとが戸閉位置に位置する場合の平面図である。
【図２３】その正面図である。
【図２４】図２３におけるＦ−Ｆ線断面図である。
【図２５】本発明の第７の実施の形態における手前側ドアと中間ドアと奥側ドアとが戸閉位置に位置する場合の平面図である。
【図２６】その正面図である。
【図２７】図２６におけるＧ−Ｇ線断面図である。
【図２８】本発明の第８の実施の形態におけるドアが戸閉位置に位置する場合の平面図である。
【図２９】その正面図である。
【図３０】図２９におけるＨ−Ｈ線断面図である。
【図３１】本発明の第９の実施の形態における乗場ドアが戸閉位置に位置する場合の平面図である。
【図３２】乗場ドアが戸開位置に位置する場合の平面図である。
【発明を実施するための形態】
【００１８】
以下、本発明の実施の形態を図面を用いて説明する。
【００１９】
（第１の実施の形態）
本発明の第１の実施の形態を、図１ないし図５に基づいて説明する。エレベータ昇降路１００内にはエレベータ乗りかご１が昇降可能に設置されている。このエレベータ乗かご１の出入口２には、センターオープン方式の二枚のドア３が設けられており、これらのドア３は、図１及び図２に示す戸閉位置と、図３及び図４に示す戸開位置との間を水平方向に移動可能に設けられている。
【００２０】
エレベータ乗かご１の出入口２の左右両側には、戸開位置に移動したドア３が収納される戸袋４が設けられている。戸袋４は、下端部がエレベータ乗りかご１の床面１ａに固定されるとともに上端部がエレベータ乗りかご１の天井面（図示せず）に固定された戸袋側板４ａを有しており、この戸袋側板４ａと、エレベータ昇降路１００の内周面とにより囲まれた空間が、戸閉位置に移動したドア３が収納される空間とされている。
【００２１】
ドア３は矩形形状に形成されており、ドア３の下端部にはドア３の補強部材として機能するドアフレーム３ａが固定されている。ドアフレーム３ａにおける戸袋４側の一端は、ドア３の戸袋４側の端面より外側に延出している。
【００２２】
ドアフレーム３ａにおけるドア３の戸袋４側の端面より外側に延出した部分には、上向きに突出した一対のドアガイドシュー５が固定されている。
【００２３】
戸袋側板４ａにおけるエレベータ昇降路１００の内周面に対向する内側側面には、二つのブラケット６が固定され、これらのブラケット６によりドアガイド装置７が保持されている。ドアガイド装置７にはガイド溝８が形成され、このガイド溝８はドア３の移動方向に沿って延出するとともに下向きに開口され、ガイド溝８にはドアガイドシュー５が移動可能に嵌合されている。
【００２４】
ドアガイドシュー５とガイド溝８との嵌合は、図１及び図２に示すようにドア３が戸閉位置に位置する場合と、図３及び図４に示すようにドア３が戸開位置に位置する場合とのいずれの場合にも維持されている。
【００２５】
このような構成において、ドア３は、ドア上部が案内レール（図示せず）により移動可能に吊り下げられ、ドア下部はドアガイドシュー５がドアガイド装置７のガイド溝８に移動可能に嵌合されている。これにより、ドア３は、戸閉位置と戸開位置との間を水平方向に移動し、開閉される。
【００２６】
ここで、ドアガイド装置７は戸袋４における戸袋側板４ａの内側側面に取付けられ、しかも、ドアガイド装置７のガイド溝８が下向きに開口している。このため、エレベータ利用者がエレベータ乗かご１に乗降りする際に、ガイド溝８内に小石等の異物が入り込むということを防止することができ、ガイド溝８内に異物が入り込んだためにドア３の開閉動作が妨げられるという事態の発生を防止することができる。
【００２７】
また、このドア装置によれば、エレベータ乗かご１における出入口２が位置する床面１ａにドア３を移動可能にガイドするためのガイド溝を設ける必要がない。これにより、エレベータ利用者がエレベータ乗かご１に乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【００２８】
なお、本実施の形態では、ドア３の下部にドアフレーム３ａを固定した場合を例に挙げて説明したが、ドアフレーム３ａの固定位置としてはドア３の下部に限らず、ドア３の下端部より上側となる箇所、例えば、ドア３の上下方向の中央部に固定した構造であってもよい。この点については、以下に説明する他の実施の形態でも同様である。
【００２９】
また、本実施の形態では、エレベータのドアとしてドア３を例に挙げて説明したが、本発明が適用されるエレベータのドアとしては、エレベータ乗場に設けられている乗場ドアも対象となるものである。この点については、以下に説明する他の実施の形態でも同様である。
【００３０】
（第２の実施の形態）
本発明の第２の実施の形態を図６ないし図１１に基づいて説明する。なお、本実施の形態及び以下に説明する他の実施の形態において、第１の実施の形態で説明した構成要素と同じ構成要素には同じ符号を付し、重複する説明は省略する。
【００３１】
第２の実施の形態では、エレベータ乗かご１Ａの出入口２には、センターオープン方式の片側二枚ずつのドア（手前側ドア１１と奥側ドア１２）が設けられており、同一側に位置する手前側ドア１１と奥側ドア１２とは、図６及び図７に示す戸閉位置と、図８及び図９に示す戸開位置との間を水平方向及び同一方向に移動可能に設けられている。
【００３２】
エレベータ乗かご１Ａの出入口２の左右両側には、戸開位置に移動した手前側ドア１１と奥側ドア１２とが前後に重ね合わせて収納される戸袋４が設けられている。
【００３３】
手前側ドア１１は、エレベータ乗かご１Ａ内から見て手前側に位置するドアであり、奥側ドア１２は、エレベータ乗かご１Ａ内から見て奥側に位置するドアであり、これらの手前側ドア１１と奥側ドア１２とは、戸閉時において一部が重なるように配置されている。
【００３４】
手前側ドア１１は矩形形状に形成されており、手前側ドア１１の下端部には手前側ドア１１の補強部材として機能するドアフレーム１１ａが固定されている。ドアフレーム１１ａにおける戸袋４側の一端は、手前側ドア１１の戸袋４側の端面より外側に延出している。
【００３５】
奥側ドア１２は矩形形状に形成されており、奥側ドア１２の下端部には奥側ドア１２の補強部材として機能するドアフレーム１２ａが固定されている。ドアフレーム１２ａにおける戸袋４側の一端は、奥側ドア１２の戸袋４側の端面より外側に延出している。
【００３６】
ドアフレーム１１ａにおける手前側ドア１１の戸袋４側の端面より外側に延出した部分には、上向きに突出した一対の手前側ドアガイドシュー１３が固定されている。
【００３７】
戸袋側板４ａにおけるエレベータ昇降路１００の内周面に対向する内側側面には、二つのブラケット６が固定され、これらのブラケット６により手前側ドアガイド装置１４が保持されている。手前側ドアガイド装置１４にはガイド溝１５が形成され、このガイド溝１５は手前側ドア１１の移動方向に沿って延出するとともに下向きに開口され、ガイド溝１５には手前側ドアガイドシュー１３が移動可能に嵌合されている。
【００３８】
手前側ドアガイドシュー１３とガイド溝１５との嵌合は、図６及び図７に示すように手前側ドア１１が戸閉位置に位置する場合と、図８及び図９に示すように手前側ドア１１が戸開位置に位置する場合とのいずれの場合にも維持されている。
【００３９】
ドアフレーム１２ａにおける奥側ドア１２の戸袋４側の端面より外側に延出した部分には、上向きに突出した一対の奥側ドアガイドシュー１６が固定されている。
【００４０】
手前側ドア１１における奥側ドア１２と対向する側の側面には、奥側ドアガイド装置１７が固定されている。奥側ドアガイド装置１７にはガイド溝１８が形成され、このガイド溝１８は奥側ドア１２の移動方向に沿って延出するとともに下向きに開口され、ガイド溝１８には奥側ドアガイドシュー１６が移動可能に嵌合されている。
【００４１】
このような構成において、手前側ドア１１と奥側ドア１２とは、ドア上部が案内レール（図示せず）により移動可能に吊り下げられ、ドア下部は手前側ドアガイドシュー１３が手前側ドアガイド装置１４のガイド溝１５に移動可能に嵌合され、及び、奥側ドアガイドシュー１６が奥側ドアガイド装置１７のガイド溝１８に移動可能に嵌合されている。これにより、手前側ドア１１と奥側ドア１２とは、戸閉位置と戸開位置との間を水平方向に及び同一方向に移動し、開閉される。
【００４２】
ここで、手前側ドアガイド装置１４が戸袋４における戸袋側板４ａの内側側面に取付けられ、及び、奥側ドアガイド装置１７が手前側ドア１１の側面に固定され、しかも、手前側ドアガイド装置１４のガイド溝１５及び奥側ドアガイド装置１７のガイド溝１８が下向きに開口されている。このため、エレベータ利用者がエレベータ乗かご１Ａに乗降りする際に、ガイド溝１５、１８内に小石等の異物が入り込むということを防止することができ、ガイド溝１５、１８内に異物が入り込んだために手前側ドア１１や奥側ドア１２の開閉動作が妨げられるという事態の発生を防止することができる。
【００４３】
また、このドア装置によれば、エレベータ乗りかご１Ａにおける出入口２が位置する床面１ａに手前側ドア１１及び奥側ドア１２を移動可能にガイドするためのガイド溝を設ける必要がない。これにより、エレベータ利用者がエレベータ乗りかご１Ａに乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【００４４】
（第３の実施の形態）
本発明の第３の実施の形態を図１２ないし図１４に基づいて説明する。
【００４５】
第３の実施の形態の基本的な構成は第２の実施の形態と同じである。第２の実施の形態に対して第３の実施の形態が異なる点は、エレベータ乗かご１Ｂの出入口２に、サイドオープン方式の二枚のドア（手前側ドア１１と奥側ドア１２）が一組設けられている点、エレベータ乗かご１Ｂの出入口２の片側にのみ戸袋４が設けられている点、及び、エレベータ乗かご１Ｂの出入口２の他方の片側には戸閉位置に移動した奥側ドア１２の端面が当接される戸当り側板２１が設けられている点である。
【００４６】
手前側ドア１１及び奥側ドア１２には、第２の実施の形態で説明したようにドアフレーム１１ａ、１２ａが固定され、ドアフレーム１１ａには手前側ドアガイドシュー１３が固定され、ドアフレーム１２ａには奥側ドアガイドシュー１６が固定されている。
【００４７】
このような構成において、手前側ドア１１と奥側ドア１２とは、第２の実施の形態と同様に、ドア上部が案内レール（図示せず）により移動可能に吊り下げられ、ドア下部は手前側ドアガイドシュー１３が手前側ドアガイド装置１４のガイド溝１５に移動可能に嵌合され、及び、奥側ドアガイドシュー１６が奥側ドアガイド装置１７のガイド溝１８に移動可能に嵌合されている。これにより、手前側ドア１１と奥側ドア１２とは、戸閉位置と戸開位置との間を水平方向に及び同一方向に移動し、開閉される。
【００４８】
また、手前側ドアガイド装置１４が戸袋４における戸袋側板４ａの内側側面に取付けられ、及び、奥側ドアガイド装置１７が手前側ドア１１の側面に固定され、しかも、手前側ドアガイド装置１４のガイド溝１５及び奥側ドアガイド装置１７のガイド溝１８が下向きに開口している。このため、エレベータ利用者がエレベータ乗かご１Ｂに乗降りする際に、ガイド溝１５、１８内に小石等の異物が入り込むということを防止することができ、ガイド溝１５、１８内に異物が入り込んだために手前側ドア１１や奥側ドア１２の開閉動作が妨げられるという事態の発生を防止することができる。
【００４９】
また、このドア装置によれば、エレベータ乗りかご１Ｂにおける出入口２が位置する床面１ａに手前側ドア１１及び奥側ドア１２を移動可能にガイドするためのガイド溝を設ける必要がない。これにより、エレベータ利用者がエレベータ乗りかご１Ｂに乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【００５０】
（第４の実施の形態）
本発明の第４の実施の形態を図１５ないし図１８に基づいて説明する。
【００５１】
第４の実施の形態の基本的な構成は第３の実施の形態と同じである。第３の実施の形態に対して第４の実施の形態が異なる点は、エレベータ乗かご１Ｃの出入口２に、サイドオープン方式の三枚のドア（手前側ドア１１と中間ドア３１と奥側ドア１２）が一組設けられている点、及び、これらの手前側ドア１１と中間ドア３１と奥側ドア１２とは戸開位置に移動した場合に前後に重ね合わせて戸袋４に収納される点である。
【００５２】
中間ドア３１は、エレベータ乗かご１Ｃ内から見て手前側ドア１１と奥側ドア１２との間に位置するドアである。
【００５３】
中間ドア３１は、手前側ドア１１及び奥側ドア１２と同様に矩形形状に形成されており、中間ドア３１の下端部には中間ドア３１の補強部材として機能するドアフレーム３１ａが固定されている。ドアフレーム３１ａにおける戸袋４側の一端は、中間ドア３１の戸袋４側の端面より外側に延出している。
【００５４】
ドアフレーム３１ａにおける中間ドア３１の戸袋４側の端面より延出した部分には、上向きに突出した一対の中間ドアガイドシュー３２が固定されている。
【００５５】
手前側ドア１１における中間ドア３１と対向する側の側面には、中間ドアガイド装置３３が固定されている。中間ドアガイド装置３３にはガイド溝３４が形成され、このガイド溝３４は中間ドア３１の移動方向に沿って延出するとともに下向きに開口され、ガイド溝３４には中間ドアガイドシュー３２が移動可能に嵌合されている。
【００５６】
中間ドア３１における奥側ドア１２と対向する側の側面には、奥側ドアガイド装置１７が固定されている。奥側ドアガイド装置１７にはガイド溝１８が形成され、ガイド溝１８には奥側ドアガイドシュー１６が移動可能に嵌合されている。
【００５７】
このような構成において、手前側ドア１１と中間ドア３１と奥側ドア１２とは、第３の実施の形態と同様に、ドア上部が案内レール（図示せず）により移動可能に吊り下げられ、ドア下部は手前側ドアガイドシュー１３が手前側ドアガイド装置１４のガイド溝１５に移動可能に嵌合され、中間ドアガイドシュー３２が中間ドアガイド装置３３のガイド溝３４に移動可能に嵌合され、及び、奥側ドアガイドシュー１６が奥側ドアガイド装置１７のガイド溝１８に移動可能に嵌合されている。これにより、手前側ドア１１と中間ドア３１と奥側ドア１２とは、戸閉位置と戸開位置との間を水平方向に及び同一方向に移動し、開閉される。
【００５８】
また、手前側ドアガイド装置１４は戸袋４における戸袋側板４ａの内側側面に取付けられ、中間ドアガイド装置３３が手前側ドア１１の側面に固定され、及び、奥側ドアガイド装置１７が中間ドア３１の側面に固定されており、しかも、手前側ドアガイド装置１４のガイド溝１５、中間ドアガイド装置３３のガイド溝３４、及び、奥側ドアガイド装置１７のガイド溝１８が下向きに開口している。このため、エレベータ利用者がエレベータ乗かご１Ｃに乗降りする際に、ガイド溝１５、３４、１８内に小石等の異物が入り込むということを防止することができ、ガイド溝１５、３４、１８内に異物が入り込んだために手前側ドア１１や中間ドア３１や奥側ドア１２の開閉動作が妨げられるという事態の発生を防止することができる。
【００５９】
また、このドア装置によれば、エレベータ乗かご１Ｃにおける出入口２が位置する床面１ａに手前側ドア１１、中間ドア３１及び奥側ドア１２を移動可能にガイドするためのガイド溝を設ける必要がない。これにより、エレベータ利用者がエレベータ乗かご１Ｃに乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【００６０】
（第５の実施の形態）
本発明の第５の実施の形態を、図１９ないし図２１に基づいて説明する。
【００６１】
エレベータ乗かご１Ｄの出入口２には、第２の実施の形態と同様に、ドアであるセンターオープン方式の二枚のドア３が設けられており、これらのドア３は、戸閉位置と戸開位置との間を水平方向に移動可能に設けられている。
【００６２】
エレベータ乗かご１Ｄの出入口２の左右両側には、戸開位置に移動したドア３が収納される戸袋４が設けられている。
【００６３】
ドア３の下端部にはドアフレーム３ａが固定され、ドアフレーム３ａの戸袋４側の一端はドア３の戸袋４側の端面より外側に延出し、この延出した部分には下向きに突出した一対のドアガイドシュー４１が固定されている。
【００６４】
エレベータ乗かご１Ｄにおける戸袋４内の床面１ａには、ドアガイド装置４２が設けられている。ドアガイド装置４２は、このドアガイド装置４２の表面がエレベータ乗かご１Ｄの床面１ａと面一となるように設置された長尺部材４３と、この長尺部材４３にドア３の移動方向に沿って延出させて形成されたガイド溝４４とにより構成されている。ガイド溝４４は上向きに開口され、ガイド溝４４にはドアガイドシュー４１が移動可能に嵌合されている。なお、ガイド溝４４は戸袋４内に位置しており、エレベータ乗かご１Ｄに乗降りするエレベータ利用者からは見えない位置に位置している。
【００６５】
このような構成において、ドア３は、ドア上部が案内レール（図示せず）により移動可能に吊り下げられ、ドア下部はドアガイドシュー４１がドアガイド装置４２のガイド溝４４に移動可能に嵌合されている。これにより、ドア３は、戸閉位置と戸開位置との間を水平方向に移動し、開閉される。
【００６６】
ここで、ドアガイド装置４２は戸袋４の内側に配置されており、ガイド溝４４はエレベータ乗かご１Ｄに乗降りするエレベータ利用者から見えない位置、及び、小石等の異物が入り込みにくい位置に位置している。このため、ガイド溝４４への異物の入り込みを防止することができ、ガイド溝４４内に異物が入り込んだためにドア３の開閉動作が妨げられるという事態の発生を防止することができる。
【００６７】
また、このドア装置によれば、エレベータ乗かご１Ｄにおける出入口２が位置する床面１ａにドア３を移動可能にガイドするためのガイド溝を設ける必要がない。これにより、エレベータ利用者がエレベータ乗かご１Ａに乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【００６８】
（第６の実施の形態）
本発明の第６の実施の形態を図２２ないし図２４に基づいて説明する。
【００６９】
エレベータ乗かご１Ｅの出入口２には、第２の実施の形態と同様に、センターオープン方式の片側二枚ずつのドア（手前側ドア１１と奥側ドア１２）が設けられており、同一側に位置する手前側ドア１１と奥側ドア１２とは、戸閉位置と戸開位置との間を水平方向及び同一方向に移動可能に設けられている。
【００７０】
エレベータ乗かご１Ｅの出入口２の左右両側には、戸開位置にした手前側ドア１１と奥側ドア１２とが前後に重ね合わせて収納される戸袋４が設けられている。
【００７１】
手前側ドア１１の下端部にはドアフレーム１１ａが固定され、ドアフレーム１１ａの戸袋４側の一端は手前側ドア１１の戸袋４側の端面より外側に延出し、この延出した部分には下向きに突出した一対の手前側ドアガイドシュー４１Ａが固定されている。
【００７２】
戸袋４内の床面１ａには、第５の実施の形態で説明したように、ドアガイド装置４２が設けられている。ドアガイド装置４２のガイド溝４４は上向きに開口され、ガイド溝４４には手前側ドアガイドシュー４１Ａが移動可能に嵌合されている。なお、ガイド溝４４は戸袋４内に位置しており、エレベータ乗かご１Ｄに乗降りするエレベータ利用者からは見えない位置に位置している。
【００７３】
奥側ドア１２の下端部にはドアフレーム１２ａが固定され、ドアフレーム１２ａの戸袋４側の一端は奥側ドア１２の戸袋４端面より外側に延出し、この延出した部分には上向きに突出した一対の奥側ドアガイドシュー１６が固定されている。
【００７４】
手前側ドア１１における奥側ドア１２と対向する側の側面には、奥側ドアガイド装置１７が固定されている。奥側ドアガイド装置１７にはガイド溝１８が形成され、このガイド溝１８は奥側ドア１２の移動方向に沿って延出されるとともに下向きに開口され、ガイド溝１８には奥側ドアガイドシュー１６が移動可能に嵌合されている。
【００７５】
このような構成において、手前側ドア１１と奥側ドア１２とは、ドア上部が案内レール（図示せず）により移動可能に吊り下げられ、ドア下部は手前側ドアガイドシュー４１Ａがドアガイド装置４２のガイド溝４４に移動可能に嵌合され、及び、奥側ドアガイドシュー１６が奥側ドアガイド装置１７のガイド溝１８に移動可能に嵌合されている。これにより、手前側ドア１１と奥側ドア１２とは、戸閉位置と戸開位置との間を水平方向に及び同一方向に移動し、開閉される。
【００７６】
ここで、ドアガイド装置４２は戸袋４の内側に配置されており、ガイド溝４４はエレベータ乗かご１Ｅに乗降りするエレベータ利用者からは見えない位置、及び、小石等の異物が入り込みにくい位置に位置している。また、奥側ドアガイド装置１７が手前側ドア１１の側面に固定され、しかも、奥側ドアガイド装置１７のガイド溝１８が下向きに開口している。このため、ガイド溝４４、１８への異物の入り込みを防止することができ、ガイド溝４４、１８内に異物が入り込んだために手前側ドア１１や奥側ドア１２の開閉動作が妨げられるという事態の発生を防止することができる。
【００７７】
また、このドア装置によれば、エレベータ乗かご１Ｅにおける出入口２が位置する床面１ａにドア３を移動可能にガイドするためのガイド溝を設ける必要がない。これにより、エレベータ利用者がエレベータ乗かご１Ｅに乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【００７８】
（第７の実施の形態）
本発明の第７の実施の形態を図２５ないし図２７に基づいて説明する。
【００７９】
エレベータ乗かご１Ｆの出入口２には、第４の実施の形態と同様に、サイドオープン方式の三枚のドア（手前側ドア１１と中間ドア３１と奥側ドア１２）が設けられており、これらの手前側ドア１１と中間ドア３１と奥側ドア１２とは、戸閉位置と戸開位置との間を水平方向及び同一方向に移動可能に設けられている。
【００８０】
手前側ドア１１の下端部に固定されたはドアフレーム１１ａの一端は手前側ドア１１の戸袋４側の端面より外側に延出し、この延出した部分には下向きに突出した一対の手前側ドアガイドシュー４１Ａが固定されている。
【００８１】
戸袋４内の床面１ａには、第５の実施の形態で説明したように、ドアガイド装置４２が設けられている。ドアガイド装置４２のガイド溝４４は上向きに開口され、ガイド溝４４には手前側ドアガイドシュー４１Ａが移動可能に嵌合されている。なお、ガイド溝４４は戸袋４内に位置しており、エレベータ乗かご１Ｄに乗降りするエレベータ利用者からは見えない位置に位置している。
【００８２】
中間ドア３１の下端部に固定されたドアフレーム３１ａにおける戸袋４側の一端は中間ドア３１の戸袋４側端面より外側に延出し、この延出した部分には上向きに突出した一対の中間ドアガイドシュー３２が固定されている。
【００８３】
手前側ドア１１における中間ドア３１と対向する側の側面には、中間ドアガイド装置３３が固定されている。中間ドアガイド装置３３にはガイド溝３４が形成され、このガイド溝３４は中間ドア３１の移動方向に沿って延出するとともに下向きに開口され、ガイド溝３４には中間ドアガイドシュー３２が移動可能に嵌合されている。
【００８４】
奥側ドア１２の下端部に固定されたドアフレーム１２ａにおける戸袋４側の一端は奥側ドア１２の戸袋４側端面より外側に延出し、この延出した部分には上向きに突出した一対の奥側ドアガイドシュー１６か固定されている。
【００８５】
中間ドア３１における奥側ドア１２と対向する側の側面には、奥側ドアガイド装置には奥側ドアガイド装置１７が固定されている。奥側ドアガイド装置１７にはガイド溝１８が形成され、ガイド溝１８には奥側ドアガイドシュー１６が移動可能に嵌合されている。
【００８６】
このような構成において、手前側ドア１１と中間ドア３１と奥側ドア１２とは、ドア上部が案内レール（図示せず）により移動可能に吊り下げられ、ドア下部は手前側ドアガイドシュー４１Ａがドアガイド装置４２のガイド溝４４に移動可能に嵌合され、及び、中間ドアガイドシュー３２が中間ドアガイド装置３３のガイド溝３４に移動可能に嵌合され、奥側ドアガイドシュー１６が奥側ドアガイド装置１７のガイド溝１８に移動可能に嵌合されている。これにより、手前側ドア１１と中間ドア３１と奥側ドア１２とは、戸閉位置と戸開位置との間を水平方向に及び同一方向に移動し、開閉される。
【００８７】
ここで、ドアガイド装置４２は戸袋４の内側に配置されており、ガイド溝４４はエレベータ乗かご１Ｆに乗降りするエレベータ利用者からは見えない位置、及び、小石等の異物が入り込みにくい位置に位置している。また、中間ドアガイド装置３３が手前側ドア１１の側面に固定され、奥側ドアガイド装置１７が中間ドア３１の側面に固定され、しかも、中間ドアガイド装置３３のガイド溝３４、及び、奥側ドアガイド装置１７のガイド溝１８が下向きに開口している。このため、エレベータ利用者がエレベータ乗かご１Ｆに乗降りする際に、ガイド溝４４、３４、１８内に小石等の異物が入り込むということを防止することができ、ガイド溝４４、３４、１８内に異物が入り込んだために手前側ドア１１や中間ドア３１や奥側ドア１２の開閉動作が妨げられるという事態の発生を防止することができる。
【００８８】
また、このドア装置によれば、エレベータ乗かご１Ｆにおける出入口２が位置する床面１ａに手前側ドア１１、中間ドア３１及び奥側ドア１２を移動可能にガイドするためのガイド溝を設ける必要がない。これにより、エレベータ利用者がエレベータ乗かご１Ｆに乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【００８９】
（第８の実施の形態）
本発明の第８の実施の形態を図２８ないし図３０に基づいて説明する。
【００９０】
エレベータ乗かご１Ｇの出入口２には、戸閉位置と戸開位置とに移動可能にドア３が設けられており、出入口２の両側は戸開位置に移動したドア３が収納される戸袋４が設けられている。
【００９１】
ドア３に固定されたドアフレーム３ａにおけるドア３の戸袋４側端面より外側へ延出した部分には、一対のドアガイド装置５１が固定されている。ドアガイド装置５１には、上方向きに開口したガイド溝５２が形成されている。なお、ドアガイド装置５１は、ドア３が戸閉位置と戸開位置との間のいずれの位置に位置する場合にも、戸袋４内に位置するように位置決めされている。
【００９２】
戸袋側板４ａにおけるエレベータ昇降路１００の内周面に対向する内側側面には、二つのブラケット６が固定され、これらのブラケット６によりドアガイドシュー５３が保持されている。ドアガイドシュー５３は下向きに突出して長尺状に形成され、ドアガイド装置５１のガイド溝５２に移動可能に嵌合されている。
【００９３】
このような構成において、ドア３は、ドア上部が案内レール（図示せず）により移動可能に吊り下げられ、ドア下部はドアガイド装置５１のガイド溝５２にドアガイドシュー５３が移動可能に嵌合されている。これにより、ドア３は、戸閉位置と戸開位置との間を水平方向に移動し、開閉される。
【００９４】
ここで、ドアガイド装置５１は、ドア３が戸閉位置と戸開位置との間のいずれの位置に位置する場合にも戸袋４内に位置するように位置決めされているため、エレベータ利用者がエレベータ乗かご１Ｇに乗降りする際にガイド溝５２内に小石等の異物が入り込むということを防止することができ、ガイド溝５２内に異物が入り込んだためにドア３の開閉動作が妨げられるという事態の発生を防止することができる。
【００９５】
また、このドア装置によれば、エレベータ乗かご１Ｇにおける出入口２が位置する床面１ａにドア３を移動可能にガイドするためのガイド溝を設ける必要がない。これにより、エレベータ利用者がエレベータ乗かご１Ｇに乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【００９６】
（第９の実施の形態）
本発明の第９の実施の形態を、図３１及び図３２に基づいて説明する。第９の実施の形態は、本発明をエレベータ乗場の乗場ドアに適用したものである。
【００９７】
各階床のエレベータ乗場２００にはエレベータ乗りかご１に乗降りするための出入口２０１が形成されており、この出入口２０１にはセンターオープン方式の二枚のドアである乗場ドア２０２が設けられている。これらの乗場ドア２０２は、図３１に示す戸閉位置と、図３２に示す戸開位置との間を水平方向に移動可能に設けられている。
【００９８】
エレベータ乗場２００の出入口２０１の左右両側には、戸開位置に移動した乗場ドア２０２が収納される戸袋２０３が設けられている。戸袋２０３は、下端部がエレベータ乗場２００の床面２００ａに固定されるとともに上端部がエレベータ乗場２００の天井面（図示せず）に固定された戸袋側板２０３ａを有しており、一側が戸袋側板２０３ａにより遮蔽されるとともに他側がエレベータ昇降路１００に向けて解放された空間が、戸閉位置に移動した乗場ドア２０２が収納される空間とされている。
【００９９】
乗場ドア２０２の構造は第１の実施の形態で説明したドア３と同じであり、乗場ドア２０２は矩形形状に形成され、乗場ドア２０２の下端部には乗場ドア２０２の補強部材として機能するドアフレーム２０２ａが固定されている。ドアフレーム２０２ａにおける戸袋２０３側の一端は、乗場ドア２０２の戸袋２０３側の端面より外側に延出している。
【０１００】
ドアフレーム２０２ａにおける乗場ドア２０２の戸袋２０３側の端面より外側に延出した部分には、上向きに突出した一対のドアガイドシュー５が固定されている。
【０１０１】
戸袋側板２０３ａにおけるエレベータ昇降路１００に対向する内側側面には、二つのブラケット６が固定され、これらのブラケット６によりドアガイド装置７が保持されている。ドアガイド装置７にはガイド溝８が形成され、このガイド溝８は乗場ドア２０２の移動方向に沿って延出するとともに下向きに開口され、ガイド溝８にはドアガイドシュー５が移動可能に嵌合されている。
【０１０２】
ドアガイドシュー５とガイド溝８との嵌合は、図３１に示すように乗場ドア２０２が戸閉位置に位置する場合と、図３２に示すように乗場ドア２０２が戸開位置に位置する場合とのいずれの場合にも維持されている。
【０１０３】
このような構成において、乗場ドア２０２は、ドア上部が案内レール（図示せず）により移動可能に吊り下げられ、ドア下部はドアガイドシュー５がドアガイド装置７のガイド溝８に移動可能に嵌合されている。これにより、乗場ドア２０２は、戸閉位置と戸開位置との間を水平方向に移動し、開閉される。
【０１０４】
ここで、ドアガイド装置７は戸袋２０３における戸袋側板２０３ａの内側側面に取付けられ、しかも、ドアガイド装置７のガイド溝８が下向きに開口している。このため、エレベータ利用者がエレベータ乗かご１に乗降りする際に、ガイド溝８内に小石等の異物が入り込むということを防止することができ、ガイド溝８内に異物が入り込んだために乗場ドア２０２の開閉動作が妨げられるという事態の発生を防止することができる。
【０１０５】
また、このドア装置によれば、エレベータ乗場２００における出入口２０１が位置する床面２００ａに乗場ドア２０２を移動可能にガイドするためのガイド溝を設ける必要がない。これにより、エレベータ利用者がエレベータ乗かご１に乗降りする際に、杖の先端部やハイヒールの踵がガイド溝に嵌り込んで転倒する等の事故の発生を無くすことができ、さらに、ガイド溝内に入り込んだゴミを清掃する手間を省くことができる。
【０１０６】
なお、本実施の形態では、乗場ドア２０２の下部にドアフレーム２０２ａを固定した場合を例に挙げて説明したが、ドアフレーム２０２ａの固定位置としては乗場ドア２０２の下部に限らず、乗場ドア２０２の下端部より上側となる箇所、例えば、乗場ドア２０２の上下方向の中央部に固定した構造であってもよい。
【０１０７】
なお、本実施の形態では、センターオープン方式の二枚の乗場ドア２０２が設けられている場合を例に挙げて説明したが、乗場ドアとしてはこの方式に限られるものではなく、第２の実施の形態で説明したようにセンターオープン方式の片側二枚ずつの乗場ドア、第３の実施の形態で説明したようにサイドオープン方式の二枚の乗場ドア、第４の実施の形態で説明したようなサイドオープン方式の三枚の乗場ドアの場合等にも適用できるものである。
【符号の説明】
【０１０８】
１，１Ａ，１Ｂ，１Ｃ，１Ｄ，１Ｅ，１Ｆ，１Ｇ  エレベータ乗りかご
３      ドア
４      戸袋
５      ドアガイドシュー
７      ドアガイド装置
１１      手前側ドア
１２      奥側ドア
１３      手前側ドアガイドシュー
１４      手前側ドアガイド装置
１６      奥側ドアガイドシュー
１７      奥側ドアガイド装置
３１      中間ドア
３２      中間ドアガイドシュー
３３      中間ドアガイド装置
４１      ガイドシュー
４１Ａ    手前側ドアガイドシュー
４２      ドアガイド装置
５１      ドアガイド装置
５３      ドアガイドシュー
２００    エレベータ乗場
２０２    ドア（乗場ドア）
２０３    戸袋
【図１】
2011190087.tif 000003
【図２】
2011190087.tif 000004
【図３】
2011190087.tif 000005
【図４】
2011190087.tif 000006
【図５】
2011190087.tif 000007
【図６】
2011190087.tif 000008
【図７】
2011190087.tif 000009
【図８】
2011190087.tif 000010
【図９】
2011190087.tif 000011
【図１０】
2011190087.tif 000012
【図１１】
2011190087.tif 000013
【図１２】
2011190087.tif 000014
【図１３】
2011190087.tif 000015
【図１４】
2011190087.tif 000016
【図１５】
2011190087.tif 000017
【図１６】
2011190087.tif 000018
【図１７】
2011190087.tif 000019
【図１８】
2011190087.tif 000020
【図１９】
2011190087.tif 000021
【図２０】
2011190087.tif 000022
【図２１】
2011190087.tif 000023
【図２２】
2011190087.tif 000024
【図２３】
2011190087.tif 000025
【図２４】
2011190087.tif 000026
【図２５】
2011190087.tif 000027
【図２６】
2011190087.tif 000028
【図２７】
2011190087.tif 000029
【図２８】
2011190087.tif 000030
【図２９】
2011190087.tif 000031
【図３０】
2011190087.tif 000032
【図３１】
2011190087.tif 000033
【図３２】
2011190087.tif 000034